(57)【特許請求の範囲】
【請求項１】
単一金種の硬貨をそれぞれ収納すると共に収納している硬貨を繰り出す金種別のスタッカと、
硬貨を識別及び計数する識別部と、
前記スタッカと前記識別部とを制御する制御部とを備え、
前記制御部は、精査処理する際に、
一の金種のスタッカから一の金種の硬貨を繰り出させて、前記識別部により識別及び計数させ、前記一の金種の硬貨を他の金種のスタッカに一旦収納させた後、
前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻すことを特徴とする貨幣処理装置。
【請求項２】
単一金種の硬貨をそれぞれ収納すると共に収納している硬貨を繰り出す金種別のスタッカと、
硬貨を識別及び計数する識別部と、
外部から硬貨が投入されると共に前記スタッカから繰り出された硬貨が案内される入金口と、
前記スタッカと前記識別部と前記入金口とを制御する制御部とを備え、
前記制御部は、精査処理する際に、
一の金種のスタッカから一の金種の硬貨を繰り出させて、前記識別部により識別及び計数させ、前記一の金種の硬貨を他の金種のスタッカ及び前記入金口に一旦収納させた後、
前記入金口から前記一の金種の硬貨を繰り出させて、前記識別部により識別及び計数させ、前記一の金種の硬貨を前記一の金種のスタッカに戻し、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻すことを特徴とする貨幣処理装置。
【請求項３】
単一金種の硬貨をそれぞれ収納すると共に収納している硬貨を繰り出す金種別のスタッカと、硬貨を識別及び計数する識別部と、前記スタッカと前記識別部とを制御する制御部とを備える貨幣処理装置の精査方法であって、
前記制御部が、一の金種のスタッカから一の金種の硬貨を繰り出させて、前記識別部により識別及び計数させ、前記一の金種の硬貨を他の金種のスタッカに一旦収納させる繰り出し工程と、
前記制御部が、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻す戻し工程とを含むことを特徴とする貨幣処理装置の精査方法。
【請求項４】
単一金種の硬貨をそれぞれ収納すると共に収納している硬貨を繰り出す金種別のスタッカと、硬貨を識別及び計数する識別部と、外部から硬貨が投入されると共に前記スタッカから繰り出された硬貨が案内される入金口と、前記スタッカと前記識別部と前記入金口とを制御する制御部とを備える貨幣処理装置の精査方法であって、
前記制御部が、一の金種のスタッカから一の金種の硬貨を繰り出させて、前記識別部により識別及び計数させ、前記一の金種の硬貨を他の金種のスタッカ及び前記入金口に一旦収納させる繰り出し工程と、
前記制御部が、前記入金口から前記一の金種の硬貨を繰り出させて、前記識別部により識別及び計数させ、前記一の金種の硬貨を前記一の金種のスタッカに戻し、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻す戻し工程とを含むことを特徴とする貨幣処理装置の精査方法。
【発明の詳細な説明】
【技術分野】
【０００１】
本発明は、貨幣処理装置及び貨幣処理装置の精査方法に関する。
【背景技術】
【０００２】
従来から、例えばＰＯＳレジ等の上位機に接続されて釣銭を自動的に払い出す釣銭機として用いられる貨幣処理装置がある（例えば特許文献１，２参照）。
【先行技術文献】
【特許文献】
【０００３】
【特許文献１】特開２００５−２７５７４６号公報
【特許文献２】特開２０１３−２３９０１４号公報
【発明の概要】
【発明が解決しようとする課題】
【０００４】
しかしながら、特許文献１の貨幣処理装置では、スタッカ内の硬貨を精査する場合、先ず、スタッカ内の硬貨を全て装置外に放出して全回収し、次いで、オペレータ等による手作業によって硬貨を入金口から再度装置内に投入する必要があり、手間と時間が掛かる。特許文献２の貨幣処理装置では、精査時に硬貨を貯留する貯留部をスタッカ以外に別途備えているので、装置が大型化、重量化、高コスト化する。
【０００５】
従って、本発明は、自己精査が可能でありながら、装置の小型化、軽量化、低コスト化が可能な貨幣処理装置及び貨幣処理装置の精査方法の提供を目的とする。
【課題を解決するための手段】
【０００６】
上記目的を達成するために、本発明に係る第１の態様は、単一金種の硬貨をそれぞれ収納すると共に収納している硬貨を繰り出す金種別のスタッカと、硬貨を識別及び計数する識別部と、前記スタッカと前記識別部とを制御する制御部とを備え、前記制御部は、精査処理する際に、一の金種のスタッカから一の金種の硬貨を繰り出させて、前記識別部により識別及び計数させ、前記一の金種の硬貨を他の金種のスタッカに一旦収納させた後、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻すことを特徴とする。
【０００９】
上記第１の態様によれば、制御部が、一の金種のスタッカから一の金種の硬貨を繰り出させて、前記一の金種の硬貨を他の金種のスタッカに一旦収納させた後、前記他の金種のスタッカから前記一の金種の硬貨及び前記他の金種の硬貨を繰り出させて、識別部により識別及び計数させ、前記一の金種の硬貨を前記一の金種のスタッカに戻しつつ、前記他の金種の硬貨を前記他の金種のスタッカに戻すことで、前記一の金種のスタッカに収納されている硬貨を精査する。よって、金種別のスタッカ以外に精査用の容量の大きい貯留部を別途設けることなく自己精査することができる。従って、自己精査が可能でありながら、装置の小型化、軽量化、低コスト化を図ることが可能となる。また、一の金種のスタッカと他の金種のスタッカとで硬貨を移動させることで、自己精査することができるため、制御が容易となる。
【００１０】
本発明に係る第２の態様は、単一金種の硬貨をそれぞれ収納すると共に収納している硬貨を繰り出す金種別のスタッカと、硬貨を識別及び計数する識別部と、外部から硬貨が投入されると共に前記スタッカから繰り出された硬貨が案内される入金口と、前記スタッカと前記識別部と前記入金口とを制御する制御部とを備え、前記制御部は、精査処理する際に、一の金種のスタッカから一の金種の硬貨を繰り出させて、前記識別部により識別及び計数させ、前記一の金種の硬貨を他の金種のスタッカ及び前記入金口に一旦収納させた後、前記入金口から前記一の金種の硬貨を繰り出させて、前記識別部により識別及び計数させ、前記一の金種の硬貨を前記一の金種のスタッカに戻し、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻すことを特徴とする。
【００１１】
上記第２の態様によれば、制御部が、一の金種のスタッカから一の金種の硬貨を繰り出させて、前記一の金種の硬貨を他の金種のスタッカ及び入金口に一旦収納させた後、入金口から前記一の金種の硬貨を繰り出させて、識別部により識別及び計数させ、前記一の金種の硬貨を前記一の金種のスタッカに戻し、前記他の金種のスタッカから前記一の金種の硬貨及び前記他の金種の硬貨を繰り出させて、識別部により識別及び計数させ、前記一の金種の硬貨を前記一の金種のスタッカに戻しつつ、前記他の金種の硬貨を前記他の金種のスタッカに戻すことで、前記一の金種のスタッカに収納されている硬貨を精査する。よって、金種別のスタッカ以外に精査用の容量の大きい貯留部を別途設けることなく自己精査することができる。従って、自己精査が可能でありながら、装置の小型化、軽量化、低コスト化を図ることが可能となる。また、他の金種のスタッカに移動しきれない量の硬貨を入金口に移動させることで、中断の可能性を低く抑えて精査処理を行うことができる。
【００１８】
本発明に係る第３の態様は、単一金種の硬貨をそれぞれ収納すると共に収納している硬貨を繰り出す金種別のスタッカと、硬貨を識別及び計数する識別部と、前記スタッカと前記識別部とを制御する制御部とを備える貨幣処理装置の精査方法であって、前記制御部が、一の金種のスタッカから一の金種の硬貨を繰り出させて、前記識別部により識別及び計数させ、前記一の金種の硬貨を他の金種のスタッカに一旦収納させる繰り出し工程と、前記制御部が、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻す戻し工程とを含むことを特徴とする。
【００２１】
上記第３の態様によれば、繰り出し工程によって、一の金種のスタッカから一の金種の硬貨を繰り出させて、前記一の金種の硬貨を他の金種のスタッカに一旦収納させた後、戻し工程によって、前記他の金種のスタッカから前記一の金種の硬貨及び前記他の金種の硬貨を繰り出させて、識別部により識別及び計数させ、前記一の金種の硬貨を前記一の金種のスタッカに戻しつつ、前記他の金種の硬貨を前記他の金種のスタッカに戻すことで、前記一の金種のスタッカに収納されている硬貨を精査する。よって、金種別のスタッカ以外に精査用の容量の大きい貯留部を別途設けることなく自己精査することができる。従って、自己精査が可能でありながら、装置の小型化、軽量化、低コスト化を図ることが可能となる。また、一の金種のスタッカと他の金種のスタッカとで硬貨を移動させることで、自己精査することができるため、制御が容易となる。
【００２２】
本発明に係る第４の態様は、単一金種の硬貨をそれぞれ収納すると共に収納している硬貨を繰り出す金種別のスタッカと、硬貨を識別及び計数する識別部と、外部から硬貨が投入されると共に前記スタッカから繰り出された硬貨が案内される入金口と、前記スタッカと前記識別部と前記入金口とを制御する制御部とを備える貨幣処理装置の精査方法であって、前記制御部が、一の金種のスタッカから一の金種の硬貨を繰り出させて、前記識別部により識別及び計数させ、前記一の金種の硬貨を他の金種のスタッカ及び前記入金口に一旦収納させる繰り出し工程と、前記制御部が、前記入金口から前記一の金種の硬貨を繰り出させて、前記識別部により識別及び計数させ、前記一の金種の硬貨を前記一の金種のスタッカに戻し、前記他の金種のスタッカから前記一の金種の硬貨及び前記他の金種の硬貨を繰り出させて、前記識別部により識別及び計数させ、前記一の金種の硬貨を前記一の金種のスタッカに戻しつつ、前記他の金種の硬貨を前記他の金種のスタッカに戻す戻し工程とを含むことを特徴とする。
【００２３】
上記第４の態様によれば、繰り出し工程によって、一の金種のスタッカから一の金種の硬貨を繰り出させて、前記一の金種の硬貨を他の金種のスタッカ及び入金口に一旦収納させ、戻し工程によって、入金口から前記一の金種の硬貨を繰り出させて、識別部により識別及び計数させ、前記一の金種の硬貨を前記一の金種のスタッカに戻し、前記他の金種のスタッカから前記一の金種の硬貨及び前記他の金種の硬貨を繰り出させて、識別部により識別及び計数させ、前記一の金種の硬貨を前記一の金種のスタッカに戻しつつ、前記他の金種の硬貨を前記他の金種のスタッカに戻すことで、前記一の金種のスタッカに収納されている硬貨を精査する。よって、金種別のスタッカ以外に精査用の容量の大きい貯留部を別途設けることなく自己精査することができる。従って、自己精査が可能でありながら、装置の小型化、軽量化、低コスト化を図ることが可能となる。また、他の金種のスタッカに移動しきれない量の硬貨を入金口に移動させることで、中断の可能性を低く抑えて精査処理を行うことができる。
【発明の効果】
【００３０】
本発明によれば、自己精査が可能でありながら、装置の小型化、軽量化、低コスト化が可能な貨幣処理装置及びその精査方法の提供することができる。
【図面の簡単な説明】
【００３１】
【図１】本発明の一実施形態に係る貨幣処理装置を示す斜視図である。
【図２】本発明の一実施形態に係る貨幣処理装置を含むＰＯＳレジシステムのブロック図である。
【図３】本発明の一実施形態に係る貨幣処理装置の硬貨処理部の内部構成を概略的に示す平面図である。
【図４】本発明の一実施形態に係る貨幣処理装置の硬貨処理部の内部構成を示す平面図である。
【図５】本発明の一実施形態に係る貨幣処理装置の硬貨処理部の内部構成を概略的に示す側面図であって、リジェクトシュータ等を示すものである。
【図６】本発明の一実施形態に係る貨幣処理装置の硬貨処理部の内部構成を概略的に示す側面図であって、出金搬送部等を示すものである。
【図７】本発明の一実施形態に係る貨幣処理装置の紙幣処理部の内部構成を概略的に示す平面図である。
【図８】本発明の一実施形態に係る貨幣処理装置の硬貨処理部の内部構成を示す平面図であって、入金処理のルートを太線で示すものである。
【図９】本発明の一実施形態に係る貨幣処理装置の硬貨処理部の内部構成を示す平面図であって、入金返却処理及び出金処理のルートを太線で示すものである。
【図１０】本発明の一実施形態に係る貨幣処理装置の硬貨処理部の内部構成を示す平面図であって、硬貨精査処理の繰り出し工程のルートを太線で示すものである。
【図１１】本発明の一実施形態に係る貨幣処理装置の硬貨処理部の内部構成を示す平面図であって、硬貨精査処理の戻し工程のルートを太線で示すものである。
【図１２】本発明の一実施形態に係る貨幣処理装置の硬貨処理部の内部構成を示す平面図であって、硬貨精査処理の繰り出し工程のルートを太線で示すものである。
【図１３】本発明の一実施形態に係る貨幣処理装置の硬貨処理部の内部構成を示す平面図であって、硬貨精査処理の戻し工程のルートを太線で示すものである。
【図１４】本発明の一実施形態に係る貨幣処理装置の硬貨処理部の内部構成を示す平面図であって、硬貨精査処理の繰り出し工程のルートを太線で示すものである。
【図１５】本発明の一実施形態に係る貨幣処理装置の硬貨処理部の内部構成を示す平面図であって、定数確定処理のルートを太線で示すものである。
【図１６】本発明の一実施形態に係る貨幣処理装置の硬貨処理部の内部構成を示す平面図であって、定数確定処理のルートを太線で示すものである。
【図１７】本発明の一実施形態に係る貨幣処理装置の硬貨処理部の内部構成を示す平面図であって、定数確定処理のルートを太線で示すものである。
【発明を実施するための形態】
【００３２】
本発明に係る貨幣処理装置及び貨幣処理装置の精査方法の一実施形態を図面を参照して以下に説明する。なお、以下の説明において、「前」は前後方向の前側つまり操作者から見て手前側であり、「後」は前後方向の後側つまり操作者から見て奥側であり、「左」は操作者から見て左側であり、「右」は操作者から見て右側である。
【００３３】
図１に示す本実施形態の貨幣処理装置１は、貨幣である硬貨及び貨幣である紙幣の入出金処理を含む各種処理を行うものである。貨幣処理装置１には、右側に硬貨の各種処理を行う硬貨処理部５が、左側に紙幣の各種処理を行う紙幣処理部６が設けられている。つまり、貨幣処理装置１は、硬貨を処理する硬貨処理部５と紙幣を処理する紙幣処理部６とが左右に水平に並設されて構成されている。ここで、硬貨処理部５と紙幣処理部６とは別体であり、互いに連結されて一体化されている。硬貨処理部５は、紙幣処理部６よりも左右方向の幅が広くなっている。
【００３４】
貨幣処理装置１の上には、貨幣処理装置１の上位機となるＰＯＳレジ１１が設置されることになり、貨幣処理装置１は、ＰＯＳレジ１１に接続されて売上金の入金及び釣銭の出金等を行うものである。貨幣処理装置１及びＰＯＳレジ１１は必要により連結されて一体化されている。
【００３５】
図２に示すように、ＰＯＳレジ１１は、操作者により操作入力がなされる入力操作部１２と、操作者に対して表示を行う入力表示部１３と、商品のバーコードを読み取るバーコード読取部１４と、ＩＤカードが走査されるとＩＤ情報を読み取るカード読取部１５と、商品の料金を表示させる料金表示部１６と、用紙に印字してレシートを発行するレシート印字部１７とを有している。ＰＯＳレジ１１は、ＰＯＳレジ１１の全体と貨幣処理装置１の全体とを制御する制御部１８を有している。
【００３６】
図１に示すように、貨幣処理装置１の上面２０の操作者と対向する前面２１側の右側には、硬貨処理部５の位置に、入金処理時に装置外部から硬貨が投入される上方開口のホッパからなる硬貨入金口２２（入金口）が設けられている。硬貨入金口２２は、複数金種が混在する金種混合状態で硬貨が装置外から一括投入可能であり、このように入れられた硬貨を貯留しつつ一枚ずつ分離して装置内に繰り出す。貨幣処理装置１の上面２０における硬貨入金口２２の左側には、硬貨処理部５の位置に、操作者による操作入力が入力されると共に操作者に対して表示を行う操作表示部２３が設けられている。
【００３７】
また、硬貨処理部５には、前面２１側に、硬貨入金口２２に投入されたものの受け入れ不可と識別された受入不可硬貨を装置外に取り出し可能に貯留する硬貨リジェクト口２４と、硬貨の放出関連処理時に装置内から放出される硬貨を受け取って装置外に取り出し可能に貯留する硬貨出金口２５（出金口）とが設けられている。硬貨リジェクト口２４と硬貨出金口２５とは、前面２１よりも前方に突出しており、上方開口の受け皿状をなしている。硬貨リジェクト口２４と硬貨出金口２５とは、貨幣処理装置１の前部において左右方向に並設されている。以上により、硬貨処理部５は、硬貨入金口２２と硬貨リジェクト口２４と硬貨出金口２５とを有している。
【００３８】
貨幣処理装置１の上面２０の前面２１側の左側には、紙幣処理部６の位置に、入金処理時に装置外からバラ紙幣が投入される上方開口の紙幣入金口２６が設けられている。また、紙幣処理部６の位置には、上面２０における紙幣入金口２６の後側に、出金処理時に装置内から出金紙幣が繰り出されると共に入金処理時に受け入れ不可と識別された受入不可紙幣が装置内から繰り出される紙幣出金口２７が設けられている。紙幣入金口２６には、複数金種が混在する金種混合状態で紙幣が装置外から一括投入可能であり、このように入れられた紙幣を一枚ずつ分離して装置内に繰り出す。
【００３９】
硬貨処理部５は、図３に示す概略構成となっている。
硬貨処理部５には、硬貨入金口２２に入れられた硬貨を一枚ずつ分離して左方に搬送する第１入金搬送路３１と、第１入金搬送路３１で搬送されてきた硬貨を後方に向けて搬送する第２入金搬送路３２と、第２入金搬送路３２に設けられ、第２入金搬送路３２で後方に向けて搬送される硬貨を識別及び計数する硬貨識別部３３（識別部）とが設けられている。
【００４０】
ここで、硬貨識別部３３で受け入れ不可と識別された受入不可硬貨は、第２入金搬送路３２のスイッチバックによる逆転搬送で前方に搬送される。硬貨処理部５には、硬貨識別部３３よりも前側に第２入金搬送路３２から硬貨を落下させる開閉可能なリジェクト振分ゲート３６が設けられている。リジェクト振分ゲート３６は、閉状態では第２入金搬送路３２から硬貨を落下させることはなく、開作動することで、上記の第２入金搬送路３２の逆転搬送で前方に向けて搬送される受入不可硬貨を第２入金搬送路３２から落下させる。硬貨処理部５には、リジェクト振分ゲート３６で第２入金搬送路３２から落下させられた硬貨を硬貨リジェクト口２４に案内するリジェクトシュータ３７が設けられている。
【００４１】
硬貨処理部５には、硬貨識別部３３よりも後方に、それぞれが所定の単一金種のバラ硬貨を収納すると共に、収納しているバラ硬貨を計数しつつ繰り出す複数の金種別のスタッカ４１ａ，４１ｂ，４１ｃ，４１ｄ，４１ｅ，４１ｆが設けられている。金種別のスタッカ４１ａ〜４１ｆは、それぞれが左右方向に長い形状をなしており、左右方向の位置を合わせて前後方向に並んで配置されている。例えば、最も前側のスタッカ４１ａには１円硬貨が、前側から２番目のスタッカ４１ｂには１０円硬貨が、前側から３番目のスタッカ４１ｃには１００円硬貨が、前側から４番目のスタッカ４１ｄには５円硬貨が、前側から５番目のスタッカ４１ｅには５０円硬貨が、最も後側のスタッカ４１ｆには５００円硬貨が、それぞれ収納される。これは一例であり、スタッカ４１ａ〜４１ｆは、それぞれに単一金種のバラ硬貨を収納するようにすれば、いずれの金種を収納するように設定することも勿論可能である。
【００４２】
スタッカ４１ａは、最小径の１円硬貨用のスタッカであり、スタッカ４１ｆは、最大径の５００円硬貨用のスタッカである。スタッカ４１ａ〜４１ｆには、それぞれの容積とそれぞれに収納する硬貨の大きさとに基づいて、それぞれが空の状態にあるときに収納が可能となる、収納対象金種の硬貨の最大収納量である最大収納許容量が設定されており、ＰＯＳレジ１１の制御部１８は、スタッカ４１ａ〜４１ｆのそれぞれの最大収納許容量を記憶している。言い換えれば、スタッカ４１ａ〜４１ｆのそれぞれの最大収納許容量は、収納対象金種の硬貨を満杯状態に収納したときの収納量である。つまり、スタッカ４１ａの最大収納許容量は、スタッカ４１ａが１円硬貨で満杯状態にあるときの１円硬貨の収納量であり、スタッカ４１ｂの最大収納許容量は、スタッカ４１ｂが１０円硬貨で満杯状態にあるときの１０円硬貨の収納量であり、スタッカ４１ｃの最大収納許容量は、スタッカ４１ｃが１００円硬貨で満杯状態にあるときの１００円硬貨の収納量であり、スタッカ４１ｄの最大収納許容量は、スタッカ４１ｄが５円硬貨で満杯状態にあるときの５円硬貨の収納量であり、スタッカ４１ｅの最大収納許容量は、スタッカ４１ｅが５０円硬貨で満杯状態にあるときの５０円硬貨の収納量であり、スタッカ４１ｆの最大収納許容量は、スタッカ４１ｆが５００円硬貨で満杯状態にあるときの５００円硬貨の収納量である。
【００４３】
第２入金搬送路３２は、すべてのスタッカ４１ａ〜４１ｆを前後方向に結ぶように延在しており、硬貨処理部５には、硬貨識別部３３よりも後方側に、第２入金搬送路３２から硬貨を落下させる開閉可能な複数の金種振分ゲート４２ａ，４２ｂ，４２ｃ，４２ｄ，４２ｅ，４２ｆが設けられている。金種振分ゲート４２ａ〜４２ｆは、いずれも、閉状態では第２入金搬送路３２から硬貨を落下させることはなく、開作動時に第２入金搬送路３２から硬貨を落下させる。金種振分ゲート４２ａ〜４２ｆは、硬貨識別部３３の識別結果に基づいて対応する金種の硬貨をスタッカ４１ａ〜４１ｆの対応する金種のものに落下させる。
【００４４】
つまり、金種振分ゲート４２ａ〜４２ｆのうち最も前側の金種振分ゲート４２ａは、開作動時に、スタッカ４１ａ〜４１ｆのうち最も前側のスタッカ４１ａに第２入金搬送路３２から硬貨を落下させることになる。同様に、前から２番目の金種振分ゲート４２ｂが前から２番目のスタッカ４１ｂに、前から３番目の金種振分ゲート４２ｃが前から３番目のスタッカ４１ｃに、前から４番目の金種振分ゲート４２ｄが前から４番目のスタッカ４１ｄに、前から５番目の金種振分ゲート４２ｅが前から５番目のスタッカ４１ｅに、最も後側の金種振分ゲート４２ｆが最も後側のスタッカ４１ｆに、それぞれ開作動時に第２入金搬送路３２から硬貨を落下させる。
【００４５】
ここで、上記した第１入金搬送路３１、第２入金搬送路３２及び金種振分ゲート４２ａ〜４２ｆが、硬貨入金口２２に入れられた硬貨をスタッカ４１ａ〜４１ｆに搬送する入金搬送部４３を構成している。入金搬送部４３は硬貨処理部５に設けられている。
【００４６】
図３に示すスタッカ４１ａ〜４１ｆは、それぞれが収納している硬貨を一枚ずつに分離して右方に繰り出すことになり、硬貨処理部５には、スタッカ４１ａ〜４１ｆの右方に、スタッカ４１ａ〜４１ｆから繰り出された硬貨を前方に搬送する中間搬送路４６が設けられている。この中間搬送路４６は、前後方向に長く硬貨入金口２２に硬貨を搬送可能となっており、スタッカ４１ａ〜４１ｆのそれぞれに対して直交する方向に延在している。硬貨入金口２２は、装置外部から硬貨が投入されると共に、スタッカ４１ａ〜４１ｆから繰り出された硬貨が案内される。
【００４７】
硬貨処理部５には、中間搬送路４６から硬貨を落下させる開閉可能な出金口振分ゲート４７が、硬貨入金口２２とスタッカ４１ａとの間に設けられている。出金口振分ゲート４７は、閉状態では中間搬送路４６から硬貨を落下させることはなく、開作動時に中間搬送路４６から硬貨を落下させる。硬貨処理部５には、出金口振分ゲート４７の下方に、出金口振分ゲート４７で中間搬送路４６から落下させられた硬貨を硬貨出金口２５に搬送する出金搬送路４８が設けられている。中間搬送路４６は、出金口振分ゲート４７から落下しなかった硬貨を末端から硬貨入金口２２に落下させる。
【００４８】
ここで、図３に示す中間搬送路４６、出金搬送路４８及び出金口振分ゲート４７が、スタッカ４１ａ〜４１ｆから繰り出された硬貨を硬貨出金口２５及び硬貨入金口２２に選択的に搬送する出金搬送部５８を構成している。出金搬送部５８は硬貨処理部５に設けられている。
【００４９】
図４に示すように、第１入金搬送路３１は、硬貨入金口２２の鉛直方向下部の底部を構成すると共に底部よりも更に左方に延出する無端のベルトコンベア６１と、硬貨入金口２２よりも左側においてベルトコンベア６１の上側に配置され、ベルトコンベア６１の搬送方向とは逆方向に対向部分を移動させる分離ローラ６２とを有している。第１入金搬送路３１は、硬貨入金口２２の硬貨を、回転するベルトコンベア６１によって左方に送り、途中位置に設けられた分離ローラ６２で一枚ずつに分離して更に左方に搬送する。ベルトコンベア６１でその底部が構成される硬貨入金口２２は、ベルトコンベア６１を停止状態とすることで、中間搬送路４６で搬送されてきた硬貨を入金搬送部４３に繰り出さずに貯留させる。硬貨入金口２２にも、空の状態にあるときに収納が可能となる硬貨の最大収納量である最大収納許容量が各金種別に設定されており、ＰＯＳレジ１１の制御部１８は、硬貨入金口２２の金種別の最大収納許容量を記憶している。硬貨入金口２２には、残留する硬貨を検知する図示略の残留検知センサが設けられている。
【００５０】
第１入金搬送路３１は、分離ローラ６２で一枚ずつに分離されてベルトコンベア６１で左方に搬送されてきた硬貨を更に搬送する通路６３及び搬送ベルト６４を有している。通路６３及び搬送ベルト６４は、左右方向に延在しており、ベルトコンベア６１から通路６３上に送り出された硬貨を搬送ベルト６４が上側から通路６３に押し付けて更に左方に搬送する。
【００５１】
第２入金搬送路３２は、第１入金搬送路３１の通路６３及び搬送ベルト６４で搬送されてきた硬貨を更に搬送する図５に示す通路７１及び搬送ベルト７２を有している。通路７１及び搬送ベルト７２は、前後方向に延在しており、第１入金搬送路３１から通路７１上に送り出された硬貨を搬送ベルト７２が上側から通路７１に押し付けて後方に搬送する。
【００５２】
硬貨識別部３３は、通路７１の一部を構成するように設けられており、搬送ベルト７２で搬送されて通過する硬貨をその画像や材質から識別する。硬貨識別部３３は、硬貨が受け入れ可能な受入可能硬貨であるか、受け入れ不可な受入不可硬貨であるかを識別し、受入可能硬貨については金種を識別して計数する。
【００５３】
リジェクト振分ゲート３６は、第２入金搬送路３２における第１入金搬送路３１と硬貨識別部３３との間位置に配置されており、閉状態では通路７１の一部を構成する。リジェクト振分ゲート３６は、開状態ではその硬貨識別部３３側が通路７１よりも上側に位置するように回動し、この状態で搬送ベルト７２によって硬貨識別部３３側から通路７１上を移動させられる硬貨を落下させる。リジェクト振分ゲート３６で第２入金搬送路３２から落下させられた硬貨は、リジェクトシュータ３７を介して硬貨リジェクト口２４に放出される。
【００５４】
金種振分ゲート４２ａ〜４２ｆは、第２入金搬送路３２における硬貨識別部３３に対して第１入金搬送路３１とは反対側に直列状に配置されており、いずれも閉状態では通路７１の一部を構成する。金種振分ゲート４２ａ〜４２ｆは、いずれも開状態ではその硬貨識別部３３側が通路７１よりも上側に位置するように回動し、この状態で搬送ベルト７２により硬貨識別部３３側から通路７１上を移動する硬貨を落下させる。金種振分ゲート４２ａ〜４２ｆで第２入金搬送路３２から落下させられた硬貨は、スタッカ４１ａ〜４１ｆの対応するものに収納される。ここで、ＰＯＳレジ１１の制御部１８は、硬貨識別部３３の識別結果に基づいて、各スタッカ４１ａ〜４１ｆへの硬貨の入金量を把握する。
【００５５】
図４に示すように、金種振分ゲート４２ａの硬貨識別部３３側の直前位置には硬貨を検知する硬貨検知センサ４０ａが、金種振分ゲート４２ａ，４２ｂ間には硬貨検知センサ４０ｂが、金種振分ゲート４２ｂ，４２ｃ間には硬貨検知センサ４０ｃが、金種振分ゲート４２ｃ，４２ｄ間には硬貨検知センサ４０ｄが、金種振分ゲート４２ｄ，４２ｅ間には硬貨検知センサ４０ｅが、金種振分ゲート４２ｅ，４２ｆ間には硬貨検知センサ４０ｆが、それぞれ設けられている。
【００５６】
スタッカ４１ａ〜４１ｆは、それぞれ、壁部７６と、壁部７６の下側に配置されて左右に延在する無端のベルトコンベア７７と、ベルトコンベア７７の上側に配置された分離ローラ７８とを有している。スタッカ４１ａ〜４１ｆは、それぞれ、壁部７６内の分離ローラ７８よりも左方のベルトコンベア７７上に金種振分ゲート４２ａ〜４２ｆから落下する硬貨を収納することになり、ベルトコンベア７７は、収納している硬貨を右方に搬送する。分離ローラ７８は、ベルトコンベア７７の搬送方向とは逆方向に対向部分を移動させることにより、ベルトコンベア７７上の硬貨を一枚ずつに分離する。ベルトコンベア７７は、分離ローラ７８で一枚ずつに分離された硬貨を更に右方に搬送する。スタッカ４１ａ〜４１ｆは、それぞれ、ベルトコンベア７７の右端位置に、ベルトコンベア７７及び分離ローラ７８で一枚ずつに分離されて搬送される硬貨を計数しつつ一枚ずつ中間搬送路４６に繰り出す繰出機構７９を有している。ここで、ＰＯＳレジ１１の制御部１８は、上記のように各スタッカ４１ａ〜４１ｆへの硬貨の入金量を把握しており、これと繰出機構７９の計数値とから、各スタッカ４１ａ〜４１ｆに収納されている硬貨の収納量を常時把握している。スタッカ４１ａ〜４１ｆには、それぞれに残留する硬貨を検知する図示略の残留検知センサが個別に設けられている。
【００５７】
スタッカ４１ａ〜４１ｆの右側には、前後方向に延在する無端のベルトコンベア８１が設けられている。このベルトコンベア８１は、図６に示すようにスタッカ４１ａ〜４１ｆに近い部分が中間搬送路４６を構成する中間搬送路構成部８２となっており、スタッカ４１ａ〜４１ｆから遠い部分が出金搬送路４８を構成する出金搬送路構成部８３となっている。中間搬送路構成部８２のうちスタッカ４１ａ〜４１ｆに近い部分は、水平に配置されており、スタッカ４１ａ〜４１ｆから繰り出された硬貨を上面に受け入れる。中間搬送路構成部８２のうちスタッカ４１ａ〜４１ｆから遠い前側の部分は、前上がりに傾斜している。出金搬送路構成部８３は、中間搬送路構成部８２の前側の部分から段差状をなして下側に配置されて前方に延出している。
【００５８】
ベルトコンベア８１の中間搬送路構成部８２の上側には、スタッカ４１ａ〜４１ｆよりも前側に分離ローラ８５が配置されている。分離ローラ８５は、中間搬送路構成部８２の搬送方向とは逆方向に対向部分を移動させることにより、中間搬送路構成部８２上の硬貨を一枚ずつに分離して前方に繰り出させる。ベルトコンベア８１の中間搬送路構成部８２及び分離ローラ８５は、中間搬送路４６を構成している。
【００５９】
ベルトコンベア８１の中間搬送路構成部８２よりも前方には、分離ローラ８５で一枚ずつに分離されてベルトコンベア８１の中間搬送路構成部８２で前方に搬送されてきた硬貨を更に前方に搬送する通路８７及び搬送ベルト８８が設けられている。通路８７及び搬送ベルト８８は、中間搬送路構成部８２の前側で前後方向に延在しており、通路８７は、中間搬送路構成部８２の前上がりの部分の延長線上で前上がりに傾斜している。通路８７及び搬送ベルト８８は、ベルトコンベア８１の中間搬送路構成部８２から通路８７上に送り出された硬貨を搬送ベルト８８が上側から通路８７に押し付けて更に前方に搬送する。
【００６０】
通路８７に出金口振分ゲート４７が設けられている。出金口振分ゲート４７は、閉状態では通路８７の一部を構成している。出金口振分ゲート４７は、開状態ではその中間搬送路構成部８２側が通路８７よりも上側に位置するように回動し、この状態でベルトコンベア８１の中間搬送路構成部８２により通路８７側に搬送される硬貨を落下させる。出金口振分ゲート４７で中間搬送路構成部８２から落下させられた硬貨は、ベルトコンベア８１の出金搬送路構成部８３上に落下する。通路８７及び搬送ベルト８８は、出金口振分ゲート４７で落下させなかった硬貨を末端位置から硬貨入金口２２の底部及び第１入金搬送路３１を構成するベルトコンベア６１上に落下させる。
【００６１】
ベルトコンベア８１の中間搬送路構成部８２及び分離ローラ８５に加えて、通路８７及び搬送ベルト８８が、スタッカ４１ａ〜４１ｆから繰り出された硬貨を硬貨入金口２２に搬送可能な中間搬送路４６を構成している。
【００６２】
ベルトコンベア８１の出金搬送路構成部８３の上側には、分離ローラ９１が配置されている。分離ローラ９１は、出金搬送路構成部８３の搬送方向とは逆方向に対向部分を移動させることにより、出金搬送路構成部８３上の硬貨を一枚ずつに分離する。出金搬送路構成部８３は、分離ローラ９１で一枚ずつに分離された硬貨を前方に搬送する。
【００６３】
ベルトコンベア８１の出金搬送路構成部８３よりも前方には、分離ローラ９１で一枚ずつに分離されてベルトコンベア８１の出金搬送路構成部８３で前方に搬送されてきた硬貨を更に前方に搬送する通路９２及び搬送ベルト９３が設けられている。通路９２及び搬送ベルト９３は、出金搬送路構成部８３の前側で前後方向に延在しており、出金搬送路構成部８３から通路９２上に送り出された硬貨を搬送ベルト９３が上側から通路９２に押し付けて更に前方に搬送する。通路９２及び搬送ベルト９３は、硬貨を末端位置から硬貨出金口２５に放出する。
【００６４】
ベルトコンベア８１の出金搬送路構成部８３、分離ローラ９１、通路９２及び搬送ベルト９３が、出金口振分ゲート４７で中間搬送路４６から落下させられた硬貨を硬貨出金口２５に搬送する出金搬送路４８を構成している。この出金搬送路４８は、スタッカ４１ａ〜４１ｆから繰り出され中間搬送路４６で搬送されてきた硬貨を硬貨出金口２５に搬送する。
【００６５】
図７に示すように、紙幣処理部６には、前側から順に、紙幣入金口２６、紙幣出金口２７、紙幣を収納可能な着脱式の紙幣カセット１１８、紙幣を収納するとともに収納した紙幣を紙幣出金口２７に出金させる複数具体的には４つの着脱不可な紙幣収納庫１２０，１２１，１２２，１２３が設けられている。紙幣カセット１１８は、紙幣収納庫１２０〜１２３からの紙幣を収納可能となっている。
【００６６】
例えば、紙幣収納庫１２０〜１２２は、それぞれが単一金種収納用となっており、紙幣収納庫１２０には千円紙幣が収納され、紙幣収納庫１２１には五千円紙幣が収納され、紙幣収納庫１２２には万円紙幣が収納される。また、紙幣収納庫１２３は、金種混合収納用となっており、紙幣収納庫１２０〜１２２に収納しきれないオーバーフロー紙幣や流通量が少ない二千円紙幣が収納される。勿論、紙幣収納庫１２０〜１２３への収納パターンは、これに限らず、種々の設定が可能である。
【００６７】
紙幣入金口２６、紙幣出金口２７、紙幣カセット１１８及び紙幣収納庫１２０〜１２３は、いずれも左右方向に長い横長の形状をなしており、すべて、長辺が上端及び下端で左右方向に沿う姿勢（横長の姿勢）の紙幣を受け入れるようになっている。
【００６８】
上記した紙幣入金口２６、紙幣出金口２７、紙幣カセット１１８及び紙幣収納庫１２０〜１２３は、紙幣処理部６の内部の右側に寄せられて設けられており、これにより紙幣処理部６の内部の左側に設けられたスペースに、これら紙幣入金口２６、紙幣出金口２７、紙幣カセット１１８及び紙幣収納庫１２０〜１２３を接続させて紙幣のやり取りを行う紙幣搬送部１２７が配置されている。なお、この紙幣搬送部１２７も紙幣を常に長辺が上端及び下端となる姿勢で搬送する。
【００６９】
紙幣搬送部１２７は、紙幣入金口２６と紙幣収納庫１２３とを結ぶ主搬送路１２８と、主搬送路１２８の紙幣出金口２７の近傍から分岐して紙幣出金口２７に接続される分岐搬送路１２９と、主搬送路１２８の紙幣カセット１１８の近傍から分岐して紙幣カセット１１８に接続される分岐搬送路１３０と、主搬送路１２８の紙幣収納庫１２０の近傍から分岐して紙幣収納庫１２０に接続される分岐搬送路１３２と、主搬送路１２８の紙幣収納庫１２１の近傍から分岐して紙幣収納庫１２１に接続される分岐搬送路１３３と、主搬送路１２８の紙幣収納庫１２２の近傍から分岐して紙幣収納庫１２２に接続される分岐搬送路１３４とを有している。
【００７０】
紙幣搬送部１２７は、主搬送路１２８を介して紙幣収納庫１２０〜１２３側から搬送されてきた紙幣を、駆動状態で分岐搬送路１２９に案内して紙幣出金口２７に搬送させる一方、非駆動状態ではそのまま主搬送路１２８で搬送させる振分部１２９Ｇを有している。分岐搬送路１２９は、紙幣出金口２７に向けて回転して紙幣を紙幣出金口２７に送り込むローラ対１２９Ｒを有している。
【００７１】
また、紙幣搬送部１２７は、主搬送路１２８を介して紙幣収納庫１２０〜１２３側から搬送されてきた紙幣を、駆動状態で分岐搬送路１３０に案内して紙幣カセット１１８に搬送させる一方、非駆動状態ではそのまま主搬送路１２８で搬送させる振分部１３０Ｇを有している。分岐搬送路１３０は、紙幣カセット１１８に向けて回転して紙幣を紙幣カセット１１８に送り込むローラ対１３０Ｒを有している。
【００７２】
また、紙幣搬送部１２７は、主搬送路１２８を介して紙幣入金口２６側から搬送されてきた紙幣を、駆動状態で分岐搬送路１３２に案内して紙幣収納庫１２０に搬送させる一方、非駆動状態ではそのまま主搬送路１２８で搬送させる振分部１３２Ｇを有している。分岐搬送路１３２は、紙幣収納庫１２０に向けて回転して紙幣を紙幣収納庫１２０に送り込むローラ１３２Ｒａ，１３２Ｒｂを有している。紙幣収納庫１２０には、ローラ１３２Ｒａ，１３２Ｒｂに向けて紙幣を蹴り出す蹴出ローラ１２０Ｒが設けられている。一方のローラ１３２Ｒａは、紙幣収納庫１２０から紙幣を繰り出す際に回転し、他方のローラ１３２Ｒｂは、紙幣収納庫１２０から紙幣を繰り出す際には停止して紙幣を一枚ずつに分離する。
【００７３】
また、紙幣搬送部１２７は、主搬送路１２８を介して紙幣入金口２６側から搬送されてきた紙幣を、駆動状態で分岐搬送路１３３に案内して紙幣収納庫１２１に搬送させる一方、非駆動状態ではそのまま主搬送路１２８で搬送させる振分部１３３Ｇを有している。分岐搬送路１３３は、紙幣収納庫１２１に向けて回転して紙幣を紙幣収納庫１２１に送り込むローラ１３３Ｒａ，１３３Ｒｂを有している。紙幣収納庫１２１には、ローラ１３３Ｒａ，１３３Ｒｂに向けて紙幣を蹴り出す蹴出ローラ１２１Ｒが設けられている。一方のローラ１３３Ｒａは、紙幣収納庫１２１から紙幣を繰り出す際に回転し、他方のローラ１３３Ｒｂは、紙幣収納庫１２１から紙幣を繰り出す際には停止して紙幣を一枚ずつに分離する。
【００７４】
また、紙幣搬送部１２７は、主搬送路１２８を介して紙幣入金口２６側から搬送されてきた紙幣を、駆動状態で分岐搬送路１３４に案内して紙幣収納庫１２２に搬送させる一方、非駆動状態ではそのまま主搬送路１２８で搬送させる振分部１３４Ｇを有している。分岐搬送路１３４は、紙幣収納庫１２２に向けて回転して紙幣を紙幣収納庫１２２に送り込むローラ１３４Ｒａ，１３４Ｒｂを有している。紙幣収納庫１２２には、ローラ１３４Ｒａ，１３４Ｒｂに向けて紙幣を蹴り出す蹴出ローラ１２２Ｒが設けられている。一方のローラ１３４Ｒａは、紙幣収納庫１２２から紙幣を繰り出す際に回転し、他方のローラ１３４Ｒｂは、紙幣収納庫１２２から紙幣を繰り出す際には停止して紙幣を一枚ずつに分離する。
【００７５】
また、主搬送路１２８は、紙幣収納庫１２３に向けて回転して紙幣を紙幣収納庫１２３に送り込むローラ１３５Ｒａ，１３５Ｒｂを有している。紙幣収納庫１２３には、ローラ１３５Ｒａ，１３５Ｒｂに向けて紙幣を蹴り出す蹴出ローラ１２３Ｒが設けられている。一方のローラ１３５Ｒａは、紙幣収納庫１２３から紙幣を繰り出す際に回転し、他方のローラ１３５Ｒｂは、紙幣収納庫１２３から紙幣を繰り出す際には停止して紙幣を一枚ずつに分離する。
【００７６】
紙幣入金口２６は、主搬送路１２８に向けて紙幣を蹴り出す蹴出ローラ２６Ｒａと、蹴出ローラ２６Ｒａで蹴り出された紙幣を主搬送路１２８に繰り出す繰出ローラ２６Ｒｂと、繰出ローラ２６Ｒｂで繰り出される紙幣を、停止することにより一枚ずつに分離する分離ローラ２６Ｒｃとを有している。
【００７７】
主搬送路１２８には、分岐搬送路１２９，１３０間に、紙幣を識別する紙幣識別部１４０が設けられている。
【００７８】
次に、スタッカ４１ａ〜４１ｆと硬貨識別部３３と硬貨入金口２２とを含む貨幣処理装置１の全体を制御する制御部１８による本実施形態の貨幣処理装置１の各種処理について説明する。
【００７９】
「入金処理」
ＰＯＳレジ１１において、バーコード読取部１４による商品バーコードの読み取り等で顧客が購入する商品の代金が確定し、入力操作部１２に入金操作が入力されると、ＰＯＳレジ１１の制御部１８は、貨幣処理装置１の硬貨入金口２２へ硬貨が投入されていれば、硬貨処理部５による硬貨入金処理を開始させることになり、貨幣処理装置１の紙幣入金口２６へ紙幣が投入されていれば、紙幣処理部６による紙幣入金処理とを開始させる。
【００８０】
硬貨入金処理では、硬貨処理部５が、図８に太線で示すルートで硬貨を搬送する。つまり、硬貨入金口２２の硬貨を第１入金搬送路３１のベルトコンベア６１及び分離ローラ６２で一枚ずつ分離して第２入金搬送路３２に繰り出し、第２入金搬送路３２の通路７１及び搬送ベルト７２で搬送しつつ閉状態のリジェクト振分ゲート３６を越えて硬貨識別部３３まで搬送し、硬貨識別部３３で識別させる。硬貨識別部３３では受け入れの可不可及び受入可能硬貨については金種を識別して計数し、この識別結果に基づき、受入不可硬貨を、搬送ベルト７２の逆転搬送とリジェクト振分ゲート３６の開作動とでリジェクトシュータ３７を介して硬貨リジェクト口２４に放出する入金リジェクト処理を行う。これにより、受入不可硬貨が硬貨リジェクト口２４に収容され、操作者は、この受入不可硬貨を硬貨リジェクト口２４から取り出すことができる。
【００８１】
他方、硬貨識別部３３の識別結果に基づき、受入可能硬貨を、そのまま第２入金搬送路３２の下流側に移動させる。その結果、受入可能硬貨を、金種振分ゲート４２ａ〜４２ｆの対応するもので選別してスタッカ４１ａ〜４１ｆの対応する金種のものに収納する。つまり、１円硬貨は金種振分ゲート４２ａで落下させてスタッカ４１ａに収納し、１０円硬貨は金種振分ゲート４２ｂで落下させてスタッカ４１ｂに収納し、１００円硬貨は金種振分ゲート４２ｃで落下させてスタッカ４１ｃに収納し、５円硬貨は金種振分ゲート４２ｄで落下させてスタッカ４１ｄに収納し、５０円硬貨は金種振分ゲート４２ｅで落下させてスタッカ４１ｅに収納し、５００円硬貨は金種振分ゲート４２ｆで落下させてスタッカ４１ｆに収納する。
【００８２】
ここで、ＰＯＳレジ１１の制御部１８は、硬貨識別部３３の識別結果に基づいて、各スタッカ４１ａ〜４１ｆへの硬貨の入金量を把握しており、各入金量を各スタッカ４１ａ〜４１ｆの硬貨のそれまでの収納量にそれぞれ加算して、各スタッカ４１ａ〜４１ｆの硬貨のそれぞれの収納量を更新する。つまり、スタッカ４１ａへの１円硬貨の入金量をスタッカ４１ａの１円硬貨のそれまでの収納量に加算して、スタッカ４１ａの１円硬貨の最新の収納量とし、スタッカ４１ｂへの１０円硬貨の入金量をスタッカ４１ｂの１０円硬貨のそれまでの収納量に加算して、スタッカ４１ｂの１０円硬貨の最新の収納量とし、スタッカ４１ｃへの１００円硬貨の入金量をスタッカ４１ｃの１００円硬貨のそれまでの収納量に加算して、スタッカ４１ｃの１００円硬貨の最新の収納量とし、スタッカ４１ｄへの５円硬貨の入金量をスタッカ４１ｄの５円硬貨のそれまでの収納量に加算して、スタッカ４１ｄの５円硬貨の最新の収納量とし、スタッカ４１ｅへの５０円硬貨の入金量をスタッカ４１ｅの５０円硬貨のそれまでの収納量に加算して、スタッカ４１ｅの５０円硬貨の最新の収納量とし、スタッカ４１ｆへの５００円硬貨の入金量をスタッカ４１ｆの５００円硬貨のそれまでの収納量に加算して、スタッカ４１ｆの５００円硬貨の最新の収納量とする。
【００８３】
紙幣入金処理では、紙幣処理部６が、紙幣入金口２６の紙幣を一枚ずつ分離して主搬送路１２８に送り出し、主搬送路１２８で紙幣収納庫１２０〜１２３に向けて搬送し、紙幣識別部１４０で識別させる。紙幣識別部１４０では、受け入れの可不可及び受入可能紙幣についての金種が識別され、この識別結果に基づき、受入可能紙幣を、紙幣収納庫１２０〜１２３用の振分部１３２Ｇ〜１３４Ｇのうち該当する金種用のものを駆動して、金種の紙幣収納庫１２０〜１２３のうちの該当する金種のものに収納する。つまり、千円紙幣は、振分部１３２Ｇで分岐搬送路１３２に送り込み、ローラ１３２Ｒａ，１３２Ｒｂで紙幣収納庫１２０に収納する。また、五千円紙幣は、振分部１３３Ｇで分岐搬送路１３３に送り込み、ローラ１３３Ｒａ，１３３Ｒｂの駆動で紙幣収納庫１２１に収納する。更に、万円紙幣は、振分部１３４Ｇで分岐搬送路１３４に送り込み、ローラ１３４Ｒａ，１３４Ｒｂの駆動で紙幣収納庫１２２に収納する。更に、二千円紙幣及び紙幣収納庫１２０〜１２２に収納しきれないオーバーフロー紙幣は、ローラ１３５Ｒａ，１３５Ｒｂの駆動で紙幣収納庫１２３に収納する。
【００８４】
他方、紙幣識別部１４０で入金不可と識別された紙幣は、主搬送路１２８の逆転駆動によって上記とは逆方向に搬送し、振分部１２９Ｇで分岐搬送路１２９に送り込んでローラ対１２９Ｒの駆動で紙幣出金口２７に搬送する。これにより、受入不可紙幣が紙幣出金口２７に収容され、操作者は、この受入不可紙幣を紙幣出金口２７から取り出すことができる。
【００８５】
硬貨入金口２２の硬貨が、すべて、硬貨リジェクト口２４及びスタッカ４１ａ〜４１ｆのいずれかに搬送され、紙幣入金口２６の紙幣がすべて、紙幣収納庫１２０〜１２３及び紙幣出金口２７のいずれかに搬送されると、ＰＯＳレジ１１の制御部１８は、今回の入金処理において受け入れた硬貨及び紙幣の計数結果と、入金取消をするか、入金確定をするかの選択操作を促す表示とを入力表示部１３に表示させる。
【００８６】
上記した入金取消をするか、入金確定をするかの問いに対して、操作者が、承認操作入力である入金確定の選択操作をＰＯＳレジ１１の入力操作部１２に入力すると、制御部１８は、今回の入金処理で受け入れた硬貨及び紙幣の計数値を確定して記憶すると共に、その合計金額から商品代金を減算して釣銭金額を算出し、入金処理を終了する。釣銭がある場合には、引き続き、後述の出金処理を行う。
【００８７】
「入金返却処理」
他方、入金処理における上記した入金取消をするか、入金確定をするかの問いに対して、操作者が、取り消し操作入力である入金取消の選択操作をＰＯＳレジ１１の入力操作部１２に入力すると、制御部１８は、貨幣処理装置１の硬貨処理部５について、図９に太線で示すルートで硬貨を搬送する。つまり、出金口振分ゲート４７を開状態にして、スタッカ４１ａ〜４１ｆのベルトコンベア７７を駆動し、入金された金額のうち硬貨部分を構成する返却硬貨を、スタッカ４１ａ〜４１ｆの対応するものから繰出機構７９で計数しつつ、中間搬送路４６のベルトコンベア８１の中間搬送路構成部８２上に繰り出させる。すると、ベルトコンベア８１の中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【００８８】
ここで、ＰＯＳレジ１１の制御部１８は、繰出機構７９の計数結果に基づいて、各スタッカ４１ａ〜４１ｆの硬貨の繰出量を把握しており、各繰出量を各スタッカ４１ａ〜４１ｆの硬貨のそれまでの収納量からそれぞれ減算して、各スタッカ４１ａ〜４１ｆの硬貨のそれぞれの収納量を更新する。つまり、スタッカ４１ａからの１円硬貨の繰出量をスタッカ４１ａの１円硬貨のそれまでの収納量から減算して、スタッカ４１ａの１円硬貨の最新の収納量とし、スタッカ４１ｂからの１０円硬貨の繰出量をスタッカ４１ｂの１０円硬貨のそれまでの収納量から減算して、スタッカ４１ｂの１０円硬貨の最新の収納量とし、スタッカ４１ｃからの１００円硬貨の繰出量をスタッカ４１ｃの１００円硬貨のそれまでの収納量から減算して、スタッカ４１ｃの１００円硬貨の最新の収納量とし、スタッカ４１ｄからの５円硬貨の繰出量をスタッカ４１ｄの５円硬貨のそれまでの収納量から減算して、スタッカ４１ｄの５円硬貨の最新の収納量とし、スタッカ４１ｅからの５０円硬貨の繰出量をスタッカ４１ｅの５０円硬貨のそれまでの収納量から減算して、スタッカ４１ｅの５０円硬貨の最新の収納量とし、スタッカ４１ｆからの５００円硬貨の繰出量をスタッカ４１ｆの５００円硬貨のそれまでの収納量から減算して、スタッカ４１ｆの５００円硬貨の最新の収納量とする。
【００８９】
また、制御部１８は、貨幣処理装置１の紙幣処理部６について、紙幣収納庫１２０〜１２２の対応するものから、入金された金額のうち紙幣部分を構成する返却紙幣を、分岐搬送路１３２〜１３４の対応するもの及び主搬送路１２８を介して紙幣出金口２７に搬送することになる。つまり、紙幣収納庫１２０から紙幣を繰り出す場合、紙幣を、蹴出ローラ１２０Ｒがローラ１３２Ｒａ，１３２Ｒｂに向けて蹴り出し、ローラ１３２Ｒｂで一枚に分離しながらローラ１３２Ｒａが分岐搬送路１３２に繰り出す。紙幣収納庫１２１から紙幣を繰り出す場合、紙幣を、蹴出ローラ１２１Ｒがローラ１３３Ｒａ，１３３Ｒｂに向けて蹴り出し、ローラ１３３Ｒｂで一枚に分離しながらローラ１３３Ｒａが分岐搬送路１３３に繰り出す。紙幣収納庫１２２から紙幣を繰り出す場合、蹴出ローラ１２２Ｒが紙幣をローラ１３４Ｒａ，１３４Ｒｂに向けて蹴り出し、ローラ１３４Ｒｂで一枚に分離しながらローラ１３４Ｒａが分岐搬送路１３４に繰り出す。このようにして紙幣収納庫１２０〜１２２の対応するものから繰り出された紙幣を主搬送路１２８で搬送し、振分部１２９Ｇで分岐搬送路１２９に導入して紙幣出金口２７に送り込む。
【００９０】
入金された金額の硬貨部分を構成する返却硬貨が硬貨出金口２５に放出され、入金された金額の紙幣部分を構成する返却紙幣が紙幣出金口２７に放出されると、入金返却処理を終了することになり、操作者は、返却硬貨を硬貨出金口２５から、返却紙幣を紙幣出金口２７から取り出すことになる。
【００９１】
「出金処理」
ＰＯＳレジ１１の制御部１８は、上記したように入金処理で受け入れた硬貨及び紙幣の合計金額から商品代金を減算して釣銭金額を算出し、釣銭がある場合には、釣銭金額を出金させるように貨幣処理装置１を制御する。
【００９２】
制御部１８の制御により、貨幣処理装置１は、硬貨処理部５について、入金返却処理と同様の図９に太線で示すルートで硬貨を搬送する。つまり、出金口振分ゲート４７を開状態にして、釣銭金額のうち硬貨部分を構成する出金硬貨を、スタッカ４１ａ〜４１ｆのベルトコンベア７７を駆動し、スタッカ４１ａ〜４１ｆの対応するものから繰出機構７９で計数しつつ、中間搬送路４６のベルトコンベア８１の中間搬送路構成部８２上に繰り出させる。すると、中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。ここでも、ＰＯＳレジ１１の制御部１８は、入金返却処理と同様に、繰出機構７９の計数結果に基づいて、各スタッカ４１ａ〜４１ｆの硬貨の繰出量を把握しており、各繰出量を各スタッカ４１ａ〜４１ｆの硬貨のそれまでの収納量からそれぞれ減算して、各スタッカ４１ａ〜４１ｆの硬貨のそれぞれの収納量を更新する。
【００９３】
また、貨幣処理装置１は、紙幣処理部６について、紙幣収納庫１２０，１２１の対応するものから、釣銭金額のうち紙幣部分を構成する出金紙幣を、入金返却処理と同様にして、分岐搬送路１３２，１３３の対応するもの及び主搬送路１２８を介して紙幣出金口２７に向けて搬送することになる。そして、主搬送路１２８で搬送される紙幣を、振分部１２９Ｇで分岐搬送路１２９に導入して紙幣出金口２７に送り込む。
【００９４】
釣銭金額の硬貨部分を構成する出金硬貨が硬貨出金口２５に放出され、釣銭金額の紙幣部分を構成する出金紙幣が紙幣出金口２７に放出されると、出金処理を終了することになり、操作者は、出金硬貨を硬貨出金口２５から、出金紙幣を紙幣出金口２７から、それぞれ取り出すことになる。
【００９５】
「硬貨精査処理」
硬貨精査処理時には、ＰＯＳレジ１１に、入力操作部１２を介して硬貨精査処理の操作入力が入力され、その際に、精査対象の金種が指定される。勿論、全金種の指定も可能である。
【００９６】
ここで、精査対象の金種として一の金種である１円硬貨が指定されることで１円硬貨のスタッカ４１ａを精査処理する場合、このスタッカ４１ａを一旦空の状態にする必要がある。このために本実施形態では、図１０に太線で示すように、スタッカ４１ａにある硬貨を、硬貨識別部３３で識別及び計数しつつ他の金種である最大径の５００円硬貨のスタッカ４１ｆを主移動先として移動させて、スタッカ４１ａを一旦空の状態にする。このとき、スタッカ４１ｆには１円硬貨と５００円硬貨とが混在した状態になる。その後、図１１に太線で示すように、５００円硬貨のスタッカ４１ｆの硬貨を、硬貨識別部３３で識別及び計数しつつ、１円硬貨を１円硬貨のスタッカ４１ａに戻し、５００円硬貨を５００円硬貨のスタッカ４１ｆに戻す。
【００９７】
同様に、一の金種である１０円硬貨のスタッカ４１ｂを精査処理する場合、精査対象のスタッカ４１ｂにある硬貨を、他の金種である５００円硬貨のスタッカ４１ｆを主移動先として一旦移動させてから、１０円硬貨のスタッカ４１ｂに戻す。一の金種である１００円硬貨のスタッカ４１ｃを精査処理する場合、精査対象のスタッカ４１ｃにある硬貨を、他の金種である５００円硬貨のスタッカ４１ｆを主移動先として一旦移動させてから、１００円硬貨のスタッカ４１ｃに戻す。一の金種である５円硬貨のスタッカ４１ｄを精査処理する場合、精査対象のスタッカ４１ｄにある硬貨を、他の金種である５００円硬貨のスタッカ４１ｆを主移動先として一旦移動させてから、５円硬貨のスタッカ４１ｄに戻す。一の金種である５０円硬貨のスタッカ４１ｅを精査処理する場合、精査対象のスタッカ４１ｅにある硬貨を、他の金種である５００円硬貨のスタッカ４１ｆを主移動先として一旦移動させてから、５０円硬貨のスタッカ４１ｅに戻す。一の金種である５００円硬貨のスタッカ４１ｆを精査処理する場合、精査対象のスタッカ４１ｆにある硬貨を、他の金種である例えば５０円硬貨のスタッカ４１ｅを主移動先として一旦移動させてから、５００円硬貨のスタッカ４１ｆに戻す。
【００９８】
ただし、上記のいずれの場合についても、主移動先のスタッカで硬貨を受け入れきれない場合がある。このため、精査対象のスタッカの精査処理開始時点での硬貨の収納量と、主移動先のスタッカの精査処理開始時点での収納可能量とに基づいて、精査対象のスタッカの全ての硬貨を主移動先のスタッカに移動しきれない場合、主移動先のスタッカに移動しきれない余剰の硬貨を副移動先としての硬貨入金口２２に移動させたり、これに加えて、主移動先のスタッカの硬貨を硬貨出金口２５から予め外部に出金させて主移動先のスタッカの収納可能量を増やしたりして対応する。ここで、主移動先のスタッカの収納可能量は、その空き空間量に基づくものであり、主移動先のスタッカが通常収納する金種の硬貨の最大収納許容量（＝満杯時の収納量）から、精査処理開始時点で収納している、通常収納する金種の硬貨の収納量を減算して、通常収納する金種の硬貨の追加収納可能な量を得て、この追加収納可能な量を精査対象の金種の硬貨の追加収納可能な量に換算した値である。
【００９９】
ここでは、具体例として、１円硬貨のスタッカ４１ａを精査処理する場合を説明する。精査対象の金種として１円硬貨が指定されることで１円硬貨のスタッカ４１ａの硬貨精査処理の操作入力が入力されると、制御部１８は、精査処理の開始にあたって、主移動先の５００円硬貨のスタッカ４１ｆにおける１円硬貨の収納可能量を割り出す。つまり、５００円硬貨のスタッカ４１ｆにおける５００円硬貨の最大収納許容量から、その時点で制御部１８が把握している５００円硬貨の収納量を減算して、その時点での５００円硬貨の追加収納可能な量を得て、この５００円硬貨の追加収納可能な量を、精査対象の１円硬貨の追加収納可能な量に換算して、５００円硬貨のスタッカ４１ｆにおける１円硬貨の収納可能量とする。つまり、この収納可能量は、スタッカ４１ｆに、これから収納し得る１円硬貨の量である。
【０１００】
そして、制御部１８は、精査処理の開始時点での５００円硬貨のスタッカ４１ｆにおける１円硬貨の収納可能量と、精査処理の開始時点で把握している１円硬貨のスタッカ４１ａの収納量とを比較し、その結果に応じて、以下の第１〜第３の制御パターンで制御を行う。
【０１０１】
［第１の制御パターン］
精査対象の１円硬貨のスタッカ４１ａの硬貨の収納量が、主移動先である５００円硬貨のスタッカ４１ｆの１円硬貨の収納可能量よりも少ない又は同じ場合、つまり、（スタッカ４１ａの１円硬貨の収納量）≦（スタッカ４１ｆの１円硬貨の収納可能量）の場合、制御部１８は、図１０，図１１に太線で示すルートで硬貨を搬送させるように、以下の第１の制御パターンの制御を行う。
【０１０２】
つまり、先ず、図１０に太線で示すように、１円硬貨のスタッカ４１ａから全ての硬貨を繰り出させて、当該全ての硬貨を５００円硬貨のスタッカ４１ｆに一旦収納させる繰り出し工程を行う。その後、図１１に太線で示すように、５００円硬貨のスタッカ４１ｆから硬貨を繰り出させ硬貨識別部３３により識別及び計数させて１円硬貨をスタッカ４１ａに戻し、５００円硬貨をスタッカ４１ｆに戻す戻し工程を行う。これら繰り出し工程及び戻し工程により、１円硬貨のスタッカ４１ａに収納されている硬貨を精査する。
【０１０３】
より具体的には、先ず、繰り出し工程として、図１０に太線で示すように、１円硬貨のスタッカ４１ａから、これが空になるまで、５００円硬貨のスタッカ４１ｆに全ての硬貨を移動させる。すなわち、スタッカ４１ａ〜４１ｆのベルトコンベア７７を駆動し、スタッカ４１ａから、繰出機構７９によって計数しつつ硬貨を中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送し、硬貨入金口２２から第１入金搬送路３１及び第２入金搬送路３２で搬送する。この第２入金搬送路３２での搬送中に硬貨を硬貨識別部３３で識別及び計数した後、金種振分ゲート４２ｆでスタッカ４１ｆに収納する。図示略の残留検知センサがスタッカ４１ａが空になったことを検知した後、スタッカ４１ａの繰出機構７９によって最後に計数された硬貨が、硬貨識別部３３で計数され、スタッカ４１ｆに収納されたことが硬貨検知センサ４０ｆにより検知されると、繰り出し工程を終了する。これにより、１円硬貨のスタッカ４１ａから全ての硬貨が繰り出され、当該全ての硬貨が５００円硬貨のスタッカ４１ｆに一旦収納されて、１円硬貨のスタッカ４１ａが空になる。
【０１０４】
次に、戻し工程として、図１１に太線で示すように、５００円硬貨のスタッカ４１ｆから、５００円硬貨をスタッカ４１ｆに戻しつつ１円硬貨のスタッカ４１ａに１円硬貨を戻す。すなわち、スタッカ４１ａ〜４１ｆのベルトコンベア７７を駆動し、スタッカ４１ｆから、繰出機構７９によって計数しつつ硬貨を中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送し、硬貨入金口２２から、第１入金搬送路３１及び第２入金搬送路３２で搬送する。この第２入金搬送路３２での搬送中に硬貨を硬貨識別部３３で識別及び計数した後、１円硬貨を金種振分ゲート４２ａでスタッカ４１ａに収納し、５００円硬貨を金種振分ゲート４２ｆでスタッカ４１ｆに収納する。上記した繰り出し工程において硬貨識別部３３で計数された枚数（繰り出し工程でスタッカ４１ｆに収納した枚数）の１円硬貨が、戻し工程において硬貨識別部３３で計数されると、スタッカ４１ｆの繰出機構７９による硬貨の繰り出しを停止させ、その後、最後に硬貨識別部３３で計数された１円硬貨がスタッカ４１ａに収納されたことが硬貨検知センサ４０ａにより検知され、スタッカ４１ｆから最後に繰り出された硬貨が、スタッカ４１ｆに収納されたことが硬貨検知センサ４０ｆにより検知されると、戻し工程を終了する。
【０１０５】
そして、制御部１８は、スタッカ４１ａに戻した１円硬貨についての硬貨識別部３３の計数結果を、スタッカ４１ａの１円硬貨の収納量として確定し、１円硬貨についての単一精査処理を終了する。
【０１０６】
［第２の制御パターン］
精査対象の１円硬貨のスタッカ４１ａの硬貨の収納量が、主移動先としての５００円硬貨のスタッカ４１ｆの１円硬貨の収納可能量よりも多く且つスタッカ４１ｆの１円硬貨の収納可能量と硬貨入金口２２の１円硬貨の収納可能量とを合わせた合計収納可能量よりも少ない又は同じ場合、つまり、（スタッカ４１ａの１円硬貨の収納量）＞（スタッカ４１ｆの１円硬貨の収納可能量）で、（スタッカ４１ａの１円硬貨の収納量）≦（スタッカ４１ｆの１円硬貨の収納可能量＋硬貨入金口２２の１円硬貨の収納可能量）の場合、制御部１８は、図１０〜図１３に太線で示すルートで硬貨を搬送させるように、以下の第２の制御パターンの制御を行う。
【０１０７】
つまり、先ず、図１０に太線で示すように、１円硬貨のスタッカ４１ａから一部の硬貨を繰り出させて、当該一部の硬貨を主移動先としての５００円硬貨のスタッカ４１ｆに一旦収納させると共に、図１２に太線で示すように、１円硬貨のスタッカ４１ａから残りの全ての硬貨を繰り出させて、当該残りの全ての硬貨を副移動先としての空の硬貨入金口２２に一旦収納させる繰り出し工程を行う。その後、図１３に太線で示すように、硬貨入金口２２から硬貨を繰り出させ硬貨識別部３３により識別及び計数させて１円硬貨を１円硬貨のスタッカ４１ａに戻すと共に、図１１に太線で示すように、５００円硬貨のスタッカ４１ｆから硬貨を繰り出させ硬貨識別部３３により識別及び計数させて１円硬貨をスタッカ４１ａに戻し、５００円硬貨をスタッカ４１ｆに戻す戻し工程を行う。
【０１０８】
より具体的には、先ず、繰り出し工程として、図１０に太線で示すように、１円硬貨のスタッカ４１ａから、５００円硬貨のスタッカ４１ｆに、このスタッカ４１ｆでの１円硬貨の収納可能量の硬貨を移動させる。すなわち、スタッカ４１ａ〜４１ｆのベルトコンベア７７を駆動し、スタッカ４１ａから、繰出機構７９によって計数しつつ硬貨を中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送し、硬貨入金口２２から第１入金搬送路３１及び第２入金搬送路３２で搬送する。この第２入金搬送路３２での搬送中に硬貨を硬貨識別部３３で識別及び計数した後、金種振分ゲート４２ｆでスタッカ４１ｆに収納する。
【０１０９】
スタッカ４１ａの繰出機構７９による硬貨の繰出量が、スタッカ４１ｆの１円硬貨の収納可能量になると、繰出機構７９による硬貨の繰り出しを一旦停止させ、その直前にスタッカ４１ａから繰り出された最後の硬貨が硬貨識別部３３で計数された後、スタッカ４１ｆに収納されたことが硬貨検知センサ４０ｆにより検知されると、硬貨入金口２２の底部を構成するベルトコンベア６１を停止させる。このときスタッカ４１ｆは満杯になっている。
【０１１０】
この状態で、図１２に太線で示すように、スタッカ４１ａから、再び繰出機構７９によって計数しつつ硬貨を中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送する。図示略の残留検知センサがスタッカ４１ａが空になったことを検知した後、スタッカ４１ａから最後に繰り出された硬貨が硬貨入金口２２に収納されたと判定できる所定時間が経過すると、繰り出し工程を終了する。以上により、１円硬貨のスタッカ４１ａから一部の硬貨が繰り出され、当該一部の硬貨が５００円硬貨のスタッカ４１ｆに収納された後、１円硬貨のスタッカ４１ａから残りの全ての硬貨が繰り出されて、当該残りの全ての硬貨が硬貨入金口２２に収納されて、１円硬貨のスタッカ４１ａが空になる。
【０１１１】
次に、戻し工程として、図１３に太線で示すように、先ず、硬貨入金口２２から１円硬貨のスタッカ４１ａに１円硬貨を戻す。すなわち、硬貨入金口２２の底部を構成するベルトコンベア６１を駆動し、硬貨入金口２２から、硬貨を繰り出し第１入金搬送路３１及び第２入金搬送路３２で搬送する。この第２入金搬送路３２での搬送中に硬貨を硬貨識別部３３で識別及び計数した後、１円硬貨を金種振分ゲート４２ａでスタッカ４１ａに収納する。硬貨識別部３３で計数した硬貨量が、上記した繰り出し工程におけるスタッカ４１ａの繰出機構７９の計数結果から把握されている、硬貨入金口２２に収納されていた硬貨量になり、硬貨識別部３３で最後に計数された硬貨がスタッカ４１ａに収納されたことが硬貨検知センサ４０ａにより検知されると、図１１に太線で示すように、５００円硬貨のスタッカ４１ｆから、５００円硬貨をスタッカ４１ｆに戻しつつ１円硬貨をスタッカ４１ａに戻す。すなわち、スタッカ４１ａ〜４１ｆのベルトコンベア７７を駆動し、スタッカ４１ｆから、繰出機構７９によって計数しつつ硬貨を中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送し、硬貨入金口２２から、第１入金搬送路３１及び第２入金搬送路３２で搬送する。この第２入金搬送路３２での搬送中に硬貨を硬貨識別部３３で識別及び計数した後、１円硬貨を金種振分ゲート４２ａでスタッカ４１ａに収納し、５００円硬貨を金種振分ゲート４２ｆでスタッカ４１ｆに収納する。上記した繰り出し工程において硬貨識別部３３で計数した枚数の１円硬貨つまりスタッカ４１ｆに収納した枚数の１円硬貨が、戻し工程においてスタッカ４１ｆからの繰り出し後、硬貨識別部３３で計数されると、スタッカ４１ｆの繰出機構７９による硬貨の繰り出しを停止させ、その後、最後に硬貨識別部３３で計数された１円硬貨がスタッカ４１ａに収納されたことが硬貨検知センサ４０ａにより検知され、スタッカ４１ｆから最後に繰り出された硬貨が、スタッカ４１ｆに戻されたことが硬貨検知センサ４０ｆにより検知されると、戻し工程を終了する。
【０１１２】
そして、制御部１８は、戻し工程でスタッカ４１ａに戻した１円硬貨についての硬貨識別部３３の計数結果を、スタッカ４１ａの１円硬貨の収納量として確定し、１円硬貨についての単一精査処理を終了する。
【０１１３】
［第３の制御パターン］
精査対象の１円硬貨のスタッカ４１ａの硬貨の収納量が、主移動先の５００円硬貨のスタッカ４１ｆの１円硬貨の収納可能量と、副移動先の硬貨入金口２２の１円硬貨の収納可能量とを合わせた合計収納可能量よりも多い場合、つまり、（スタッカ４１ａの１円硬貨の収納量）＞（スタッカ４１ｆの１円硬貨の収納可能量＋硬貨入金口２２の１円硬貨の収納可能量）の場合、制御部１８は、図１０〜図１４に太線で示すルートで硬貨を搬送させるように、以下の第３の制御パターンの制御を行う。
【０１１４】
つまり、先ず、繰り出し工程として、主移動先としての５００円硬貨のスタッカ４１ｆ内の１円硬貨の収納可能量を増加させるために、図１４に太線で示すように、５００円硬貨のスタッカ４１ｆから一部の硬貨を繰り出させ、当該一部の硬貨を硬貨出金口２５から外部に放出させる。その際に、スタッカ４１ｆの１円硬貨の収納可能量と硬貨入金口２２の１円硬貨の収納可能量とを合わせた合計収納可能量が、スタッカ４１ａの硬貨の収納量よりも多く又は同じになるようにする。つまり、（スタッカ４１ａの１円硬貨の収納量）≦（スタッカ４１ｆの１円硬貨の収納可能量＋硬貨入金口２２の１円硬貨の収納可能量）とする。但し、１円硬貨のスタッカ４１ａと５００円硬貨のスタッカ４１ｆと硬貨入金口２２との容積の関係から、例えスタッカ４１ａが満杯状態にあったとしても、５００円硬貨のスタッカ４１ｆ内から５００円硬貨を全て放出させることはなく、スタッカ４１ｆが空になることはない。
【０１１５】
その後は、第２の制御パターンと同様に制御を行う。つまり、図１０に太線で示すように、１円硬貨のスタッカ４１ａから一部の硬貨を繰り出させて、当該一部の硬貨を主移動先としての５００円硬貨のスタッカ４１ｆに一旦収納させると共に、図１２に太線で示すように、１円硬貨のスタッカ４１ａから残りの全ての硬貨を繰り出させて、当該残りの全ての硬貨を副移動先としての空の硬貨入金口２２に一旦収納させる繰り出し工程を行う。これらの繰り出し工程の後、図１３に太線で示すように、硬貨入金口２２から硬貨を繰り出させ硬貨識別部３３により識別及び計数させて１円硬貨を１円硬貨のスタッカ４１ａに戻した後、図１１に太線で示すように、５００円硬貨のスタッカ４１ｆから硬貨を繰り出させ硬貨識別部３３により識別及び計数させて１円硬貨をスタッカ４１ａに戻し、５００円硬貨をスタッカ４１ｆに戻す戻し工程を行う。
【０１１６】
具体的には、先ず、繰り出し工程として、図１４に太線で示すように、５００円硬貨のスタッカ４１ｆから一部の硬貨を硬貨出金口２５に放出させる。すなわち、出金口振分ゲート４７を開状態にして、スタッカ４１ａ〜４１ｆのベルトコンベア７７を駆動し、スタッカ４１ｆから繰出機構７９で計数しつつ、硬貨を、中間搬送路４６のベルトコンベア８１の中間搬送路構成部８２上に繰り出させる。すると、硬貨は、中間搬送路構成部８２で搬送され、出金口振分ゲート４７から出金搬送路４８を介して硬貨出金口２５に放出される。
【０１１７】
スタッカ４１ｆの繰出機構７９による硬貨の繰出量から、スタッカ４１ｆの１円硬貨の収納可能量が所定量となり、このスタッカ４１ｆの１円硬貨の収納可能量と硬貨入金口２２の１円硬貨の収納可能量と合わせた合計収納可能量が、１円硬貨のスタッカ４１ａの硬貨の収納量に対して、例えば同じになると、スタッカ４１ｆの繰出機構７９による硬貨の繰り出しを一旦停止させ、その直前にスタッカ４１ｆから繰り出された最後の硬貨が硬貨出金口２５に放出されたと判定できる所定時間が経過するまで待つ。
【０１１８】
その後は、第２の制御パターンと同様に制御を行う。つまり、図１０に太線で示すように、１円硬貨のスタッカ４１ａから、主移動先の５００円硬貨のスタッカ４１ｆに、このスタッカ４１ｆの１円硬貨の収納可能量の硬貨を移動させた後、図１２に太線で示すように、１円硬貨のスタッカ４１ａから残り全ての硬貨を、副移動先の硬貨入金口２２に移動させる。このようにして、スタッカ４１ａを空にする。このとき、この第３の制御パターンでは、主移動先であるスタッカ４１ｆ及び副移動先である硬貨入金口２２は、いずれも満杯になる。次に、戻し工程として、図１３に太線で示すように、硬貨入金口２２から１円硬貨のスタッカ４１ａに１円硬貨を戻した後、図１１に太線で示すように、５００円硬貨のスタッカ４１ｆから、５００円硬貨をスタッカ４１ｆに戻しつつ１円硬貨のスタッカ４１ａに１円硬貨を戻す。
【０１１９】
そして、制御部１８は、スタッカ４１ａに戻された１円硬貨についての硬貨識別部３３の計数結果を、スタッカ４１ａの１円硬貨の収納量として確定し、１円硬貨についての単一精査処理を終了する。
【０１２０】
スタッカ４１ａ〜４１ｆについて、指定された精査対象が複数ある場合（全指定を含む）、上記と同様の単一精査処理を順次行って、精査処理を終了する。
【０１２１】
「定数確定処理」
精査処理の別の一種である定数確定処理時には、ＰＯＳレジ１１に、入力操作部１２を介して定数確定処理の操作入力が入力されると、制御部１８は以下の制御を行う。
【０１２２】
先ず、５００円硬貨の定数確定処理を行う。ここで、５００円硬貨の定数は他の金種の定数よりも少なく設定されており、定数の５００円硬貨は全て空の硬貨入金口２２に収納可能となっている。このため、５００円硬貨のスタッカ４１ｆを定数確定処理する場合、このスタッカ４１ｆを一旦空の状態にするために、図１５に太線で示すように、スタッカ４１ｆにある硬貨から定数分を一旦、空の硬貨入金口２２に移動させた後、図１４に太線で示すように、定数分を超える余剰の硬貨を硬貨出金口２５から外部に放出させて、スタッカ４１ｆを一旦空の状態にする繰り出し工程を行い、その後、図１６に太線で示すように、硬貨入金口２２にある５００円硬貨を硬貨識別部３３で識別及び計数しつつスタッカ４１ｆに戻す戻し工程を行う。
【０１２３】
具体的には、先ず、スタッカ４１ａ〜４１ｆのベルトコンベア７７を駆動し、図１５に太線で示すように、スタッカ４１ｆから、繰出機構７９によって計数しつつ硬貨を中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送する。繰出機構７９によって定数分の５００円硬貨が計数されると、一旦繰出機構７９による繰り出しを停止させ、その後、定数分の最後の５００円硬貨が硬貨入金口２２に搬送されたと判定できる所定時間が経過すると、出金口振分ゲート４７を開状態にして、スタッカ４１ｆの繰出機構７９による繰り出しを再開させ、図１４に太線で示すように、スタッカ４１ｆから繰出機構７９で計数しつつ、硬貨を、中間搬送路４６のベルトコンベア８１の中間搬送路構成部８２上に繰り出させる。すると、硬貨は、出金口振分ゲート４７から、出金搬送路４８を介して硬貨出金口２５に放出される。
【０１２４】
図示略の残留検知センサがスタッカ４１ｆが空になったことを検知した後、スタッカ４１ｆから最後に繰り出された硬貨が硬貨出金口２５に放出されたと判定できる所定時間が経過すると、次に、図１６に太線で示すように、硬貨入金口２２の硬貨を第１入金搬送路３１及び第２入金搬送路３２で搬送する。この第２入金搬送路３２での搬送中に硬貨を硬貨識別部３３で識別及び計数した後、金種振分ゲート４２ｆでスタッカ４１ｆに収納する。硬貨識別部３３で定数の最後の５００円硬貨が検出された後、この最後の５００円硬貨がスタッカ４１ｆに収納されたことが硬貨検知センサ４０ｆにより検知されると、定数確定処理を終了する。これにより、５００円硬貨のスタッカ４１ｆに定数の５００円硬貨のみが収納された状態になる。
【０１２５】
その後、５００円硬貨以外の１円硬貨、１０円硬貨、１００円硬貨、５円硬貨、５０円硬貨の定数確定処理を行う。例えば１円硬貨の定数確定処理を行う場合、１円硬貨の定数は５００円硬貨の定数よりも多く設定されており、定数の１円硬貨の全てを空の硬貨入金口２２に収納することは不可能となっている。このため、１円硬貨のスタッカ４１ａを定数確定処理する場合、このスタッカ４１ａを一旦空の状態にするために、スタッカ４１ａにある硬貨から定数分の一部を、図１０に太線で示すように５００円硬貨のスタッカ４１ｆに移動させた後、定数分の残りの全部を図１２に太線で示すように空の硬貨入金口２２に移動させ、更に、定数分を超える余剰の硬貨を図１７に太線で示すように硬貨出金口２５から外部に放出させて、スタッカ４１ａを一旦空の状態にする繰り出し工程を行った後、図１３に太線で示すように、硬貨入金口２２にある１円硬貨を硬貨識別部３３で識別及び計数しつつスタッカ４１ａに戻し、その後、図１１に太線で示すように、スタッカ４１ｆにある硬貨を、硬貨識別部３３で識別及び計数しつつ、１円硬貨をスタッカ４１ａに戻し、５００円硬貨をスタッカ４１ｆに戻す戻し工程を行う。ここで、定数確定処理が先行実施された後の５００円硬貨のスタッカ４１ｆは、空の硬貨入金口２２とによって、１円硬貨、１０円硬貨、１００円硬貨、５円硬貨、５０円硬貨のいずれについても、各定数分の硬貨を収納可能となっている。
【０１２６】
具体的には、先ず、スタッカ４１ａ〜４１ｆのベルトコンベア７７を駆動し、図１０に太線で示すように、スタッカ４１ａから、スタッカ４１ｆの収納可能量の硬貨を繰出機構７９によって計数しつつ中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送し、第１入金搬送路３１及び第２入金搬送路３２で搬送する。この第２入金搬送路３２での搬送中に硬貨を硬貨識別部３３で識別及び計数した後、スタッカ４１ｆに収納する。スタッカ４１ａの繰出機構７９によってスタッカ４１ｆの収納可能量の５００円硬貨が計数されると、一旦スタッカ４１ａの繰出機構７９による繰り出しを停止させ、その直前にスタッカ４１ａから繰り出された最後の１円硬貨が、硬貨識別部３３で計数された後、スタッカ４１ｆに収納されたことが硬貨検知センサ４０ｆにより検知されると、硬貨入金口２２のベルトコンベア６１を停止させる。
【０１２７】
次に、１円硬貨の定数から上記のようにスタッカ４１ｆに収納した分を減算した不足分の硬貨をスタッカ４１ａから、繰出機構７９によって計数しつつ、図１２に太線で示すように、中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送する。不足分の最後の硬貨が繰出機構７９で計数されると、一旦繰出機構７９による繰り出しを停止させ、その直前にスタッカ４１ａから繰り出された最後の１円硬貨が、硬貨入金口２２に搬送されると判定できる所定時間が経過すると、出金口振分ゲート４７を開状態にして、スタッカ４１ａから再び硬貨を、繰出機構７９で計数しつつ、図１７に太線で示すように、中間搬送路４６のベルトコンベア８１の中間搬送路構成部８２上に繰り出させる。すると、硬貨は、出金口振分ゲート４７から、出金搬送路４８を介して硬貨出金口２５に放出される。
【０１２８】
図示略の残留検知センサがスタッカ４１ａが空になったことを検知した後、スタッカ４１ａから最後に繰り出された硬貨が硬貨出金口２５に放出されたと判定できる所定時間が経過すると、次に、図１３に示すように硬貨入金口２２の硬貨を第１入金搬送路３１及び第２入金搬送路３２で搬送し硬貨識別部３３で識別及び計数した後、金種振分ゲート４２ａでスタッカ４１ａに収納する。その後、図１１に示すようにスタッカ４１ｆの硬貨を繰出機構７９によって計数しつつ中間搬送路４６のベルトコンベア８１の中間搬送路構成部８２上に繰り出させる。そして、繰り出された硬貨を、中間搬送路４６のベルトコンベア８１の中間搬送路構成部８２及び搬送ベルト８８で硬貨入金口２２に搬送し、第１入金搬送路３１及び第２入金搬送路３２で搬送する。この第２入金搬送路３２での搬送中に硬貨を硬貨識別部３３で識別及び計数した後、１円硬貨はスタッカ４１ａに、５００円硬貨はスタッカ４１ｆに収納する。硬貨識別部３３によってスタッカ４１ａの定数の１円硬貨が計数されると、スタッカ４１ｆの繰出機構７９による繰り出しを停止させ、その後、最後に硬貨識別部３３で計数された１円硬貨がスタッカ４１ａに収納されたことが硬貨検知センサ４０ａにより検知され、スタッカ４１ｆから最後に繰り出された５００硬貨が、スタッカ４１ｆに収納されたことが硬貨検知センサ４０ｆにより検知されると、定数確定処理を終了する。これにより、１円硬貨のスタッカ４１ａに定数の１円硬貨のみが収納された状態になる。
【０１２９】
１０円硬貨のスタッカ４１ｂ、１００円硬貨のスタッカ４１ｃ、５円硬貨のスタッカ４１ｄ、５０円硬貨のスタッカ４１ｅについても、１円硬貨のスタッカ４１ａと同様に定数確定処理が行われる。
【０１３０】
以上の実施形態によれば、制御部１８は、繰り出し工程によって、スタッカ４１ａ〜４１ｆのうちの第１の金種の第１のスタッカから硬貨を繰り出させて、スタッカ４１ａ〜４１ｆのうちの他の第２の金種の第２のスタッカに一旦収納させた後、戻し工程によって、前記第２のスタッカから硬貨を繰り出させ硬貨識別部３３により識別及び計数させて前記第１の金種の硬貨を前記第１のスタッカに戻すことで、前記第１のスタッカに収納されている硬貨を精査する。よって、金種別のスタッカ４１ａ〜４１ｆ以外に精査用の容量の大きい貯留部を別途設けることなく自己精査することができる。従って、自己精査が可能でありながら、装置の小型化、軽量化、低コスト化を図ることが可能となる。
【０１３１】
また、制御部１８は、繰り出し工程によって、前記第１のスタッカから全ての硬貨を繰り出させて、当該全ての硬貨を前記第２の金種のスタッカに一旦収納させた後、戻し工程によって、前記第２のスタッカから硬貨を繰り出させ硬貨識別部３３により識別及び計数させて前記第１の金種の硬貨を前記第１のスタッカに戻すことで、前記第１のスタッカに収納されている硬貨を精査する。よって、前記第１のスタッカと前記第２のスタッカとで硬貨を移動させることで、自己精査することができるため、制御が容易となる。
【０１３２】
また、制御部１８は、繰り出し工程によって、前記第１のスタッカから一部の硬貨を繰り出させて、当該一部の硬貨を前記第２のスタッカに一旦収納させると共に、前記第１のスタッカから残りの全ての硬貨を繰り出させて、当該残りの全ての硬貨を硬貨入金口２２に一旦収納させた後、戻し工程によって、硬貨入金口２２から硬貨を繰り出させ硬貨識別部３３により識別及び計数させて前記第１の金種の硬貨を前記第１のスタッカに戻すと共に、前記第２のスタッカから硬貨を繰り出させ硬貨識別部３３により識別及び計数させて前記第１の金種の硬貨を前記第１のスタッカに戻すことで、前記第１のスタッカに収納されている硬貨を精査する。よって、前記第２のスタッカに移動しきれない量の硬貨を硬貨入金口２２に移動させることで、中断の可能性を低く抑えて精査処理を行うことができる。
【０１３３】
また、制御部１８は、精査処理する際に、前記第１のスタッカの硬貨の収納量が前記第２のスタッカの硬貨の収納可能量よりも少ない又は同じ場合、繰り出し工程によって、前記第１のスタッカから全ての硬貨を繰り出させて、当該全ての硬貨を前記第２のスタッカに一旦収納させた後、戻し工程によって、前記第２のスタッカから硬貨を繰り出させ硬貨識別部３３により識別及び計数させて前記第１の金種の硬貨を前記第１のスタッカに戻す。また、精査処理する際に、前記第１のスタッカの硬貨の収納量が、前記第２のスタッカの硬貨の収納可能量よりも多く且つ前記第２のスタッカの収納可能量と硬貨入金口２２の収納可能量とを合わせた合計収納可能量よりも少ない又は同じ場合、繰り出し工程によって、前記第１のスタッカから一部の硬貨を繰り出させて、当該一部の硬貨を前記第２の金種のスタッカに一旦収納させると共に、前記第１のスタッカから残りの全ての硬貨を繰り出させて、当該残りの全ての硬貨を硬貨入金口２２に一旦収納させた後、戻し工程によって、硬貨入金口２２から硬貨を繰り出させ硬貨識別部３３により識別及び計数させて前記第１の金種の硬貨を前記第１のスタッカに戻すと共に、前記第２のスタッカから硬貨を繰り出させ硬貨識別部３３により識別及び計数させて前記第１の金種の硬貨を前記第１のスタッカに戻す。更に、精査処理する際に、前記第１のスタッカの硬貨の収納量が前記合計収納可能量よりも多い場合、繰り出し工程によって、前記第２のスタッカから硬貨を外部に放出させて、前記合計収納可能量が前記第１のスタッカの硬貨の収納量よりも多く又は同じになるようにした後、前記第１のスタッカから一部の硬貨を繰り出させて、当該一部の硬貨を前記第２のスタッカに一旦収納させると共に、前記第１のスタッカから残りの全ての硬貨を繰り出させて、当該残りの全ての硬貨を硬貨入金口２２に一旦収納させた後、戻し工程によって、硬貨入金口２２から硬貨を繰り出させ硬貨識別部３３により識別及び計数させて前記第１の金種の硬貨を前記第１のスタッカに戻すと共に、前記第２のスタッカから硬貨を繰り出させ硬貨識別部３３により識別及び計数させて前記第１の金種の硬貨を前記第１のスタッカに戻す。このように、前記第１のスタッカの収納量と前記第２のスタッカの収納可能量とに応じて選択的に、前記第１のスタッカに収納されている硬貨を精査するため、精査処理を効率良く行うことができる。
【０１３４】
また、精査処理時に、スタッカ４１ａ〜４１ｅの硬貨を、硬貨の収納量が通常少ない最高額面で最大径の５００円硬貨用のスタッカ４１ｆに一旦収納させるため、中断の可能性を低く抑えて精査処理を行うことができる。
【０１３５】
また、制御部１８は、繰り出し工程によって、スタッカ４１ａ〜４１ｆのうちの第１の金種の第１のスタッカから硬貨を繰り出させて定数分の硬貨を、スタッカ４１ａ〜４１ｆのうちの他の第２の金種の第２のスタッカ及び硬貨入金口２２に一旦収納させると共に、定数を超える分の硬貨を外部に放出させた後、戻し工程によって、硬貨入金口２２及び前記第２のスタッカから硬貨を繰り出させ硬貨識別部３３により識別及び計数させて前記第１の金種の硬貨を前記第１のスタッカに戻すことで、前記第１のスタッカに収納されている硬貨を精査して定数とする。よって、金種別のスタッカ以外に精査用の容量の大きい貯留部を別途設けることなく自己精査して定数確定することができる。従って、自己精査が可能でありながら、装置の小型化、軽量化、低コスト化を図ることが可能となる。
【０１３６】
以上の実施形態を以下のように変更することも可能である。
【０１３７】
精査処理時の主移動先として、５００円硬貨のスタッカ４１ｆ以外に精査対象の硬貨を移動して精査するようにしても良い。つまり、スタッカ４１ａ〜４１ｆのうちのいずれか一つを精査対象として自己精査する際に、スタッカ４１ａ〜４１ｆの残りのいずれか一つを主移動先とすれば良い。例えば、スタッカ４１ａ〜４１ｆのうちのいずれか一つを精査対象として自己精査する際に、スタッカ４１ａ〜４１ｆの残りのうち、最も収納可能量が大きいスタッカを主移動先としても良い。
【０１３８】
更に、精査される硬貨の金種に応じて、主移動先とするスタッカを変えるようにしても良い。例えば、収納する硬貨の外径が近いスタッカを主移動先とする。つまり、精査対象が１円硬貨のスタッカ４１ａである場合に、５０円硬貨のスタッカ４１ｅを主移動先としたり、逆に、精査対象が５０円硬貨のスタッカ４１ｅである場合に、１円硬貨のスタッカ４１ａを主移動先としたりする。或いは、精査対象が５０円硬貨のスタッカ４１ｅである場合に、５円硬貨のスタッカ４１ｄを主移動先としたり、逆に、精査対象が５円硬貨のスタッカ４１ｄである場合に、５０円硬貨のスタッカ４１ｅを主移動先としたりする。或いは、精査対象が５円硬貨のスタッカ４１ｄである場合に、１００円硬貨のスタッカ４１ｃを主移動先としたり、逆に、精査対象が１００円硬貨のスタッカ４１ｃである場合に、５円硬貨のスタッカ４１ｄを主移動先としたりする。或いは、精査対象が１００円硬貨のスタッカ４１ｃである場合に、１０円硬貨のスタッカ４１ｂを主移動先としたり、逆に、精査対象が１０円硬貨のスタッカ４１ｂである場合に、１００円硬貨のスタッカ４１ｃを主移動先としたりする。このようにすれば、二金種の繰り出し及び計数を行うことになる繰出機構７９の複雑化を抑制することができる。
【０１３９】
以上においては、硬貨の入出金を行う硬貨処理部５と紙幣の入出金を行う紙幣処理部６とを有し釣銭機として使用される貨幣処理装置１を例にとり説明したが、釣銭機以外にも適用可能である。少なくとも硬貨の入金処理及び出金処理のいずれか一方を行うことができるものであれば良く、釣銭機以外の貨幣入出金機や、硬貨の入出金のみを行う硬貨入出金機や、硬貨の入金のみを行う硬貨入金機や、硬貨の出金のみを行う硬貨出金機であっても良い。
【符号の説明】
【０１４０】
１…貨幣処理装置、１８…制御部、２２…硬貨入金口（入金口）、３３…硬貨識別部（識別部）、４１ａ〜４１ｆ…スタッカ
【図１】
0006700889.tif 000002
【図２】
0006700889.tif 000003
【図３】
0006700889.tif 000004
【図４】
0006700889.tif 000005
【図５】
0006700889.tif 000006
【図６】
0006700889.tif 000007
【図７】
0006700889.tif 000008
【図８】
0006700889.tif 000009
【図９】
0006700889.tif 000010
【図１０】
0006700889.tif 000011
【図１１】
0006700889.tif 000012
【図１２】
0006700889.tif 000013
【図１３】
0006700889.tif 000014
【図１４】
0006700889.tif 000015
【図１５】
0006700889.tif 000016
【図１６】
0006700889.tif 000017
【図１７】
0006700889.tif 000018